(57)【要約】【課題】渦巻きケーシング内で生じる旋回流が吸込みカバー側へ返流されることを阻止し、ポンプ効率が低下することのない渦巻きポンプを提供する。【解決手段】渦巻きケーシング１内に斜流型オープン羽根車２を収容した渦巻きポンプにおいて、前記羽根車２と対向するコーン状吸込みカバー３の下面中心に吸込口４を開設し、前記渦巻きケーシング１の一側部より吐出口５を導出させ、円錐形ボス部６の外周にスクリューブレード７を凸設して前記斜流型オープン羽根車２を構成し、スクリューブレード７の最大外径部付近を始点８ａとし上部シュラウド９の頸部付近を終点８ｂとする範囲に亘って逆流阻止板８を付設した。【選択図】        図１
2005337130.tif 000002
【特許請求の範囲】
【請求項１】
渦巻きケーシング内に斜流型オープン羽根車を収容した渦巻きポンプにおいて、前記羽根車と対向するコーン状吸込みカバーの下面中心に吸込口を開設し、前記渦巻きケーシングの一側部より吐出口を導出させ、円錐形ボス部の外周にスクリューブレードを凸設して前記斜流型オープン羽根車を構成し、スクリューブレードの最大外径部付近を始点とし上部シュラウドの頸部付近を終点とする範囲に亘って逆流阻止板を付設したことを特徴とする、渦巻きポンプ。
【請求項２】
スクリューブレードに付設される逆流阻止板の下端縁は、渦巻きケーシングの下壁上面またはコーン状吸込みカバーの内周面上方部に接近した状態で導下されていることを特徴とする、請求項１記載の渦巻きポンプ。
【請求項３】
スクリューブレードに付設された逆流阻止板は、内側面を凹状に湾曲させた状態で導下されていることを特徴とする、請求項１および２記載の渦巻きポンプ。
【発明の詳細な説明】
【技術分野】
【０００１】
本発明は、渦巻きポンプ内に斜流型オープン羽根車を収容させた、渦巻きポンプに関するものである。
【背景技術】
【０００２】
周知のように渦巻きポンプは、羽根車の回転に伴う遠心エネルギーによって吸込口から吸込まれた揚水が、渦巻きケーシング内を巡る過程で圧力エネルギーに変換されることで吐出口から吐出される。しかし一方において、渦巻きケーシング内に導入された揚水の流れが、該ケーシングの内壁に衝突して上から下への旋回流となり、該旋回流の吸込みカバー側への返流が、羽根車により導出される揚水と吸込みカバーの上端開口において衝突し、損失および流れの偏りが発生してポンプ効率が低下するという結果を招くことは、従来の斜流型オープン羽根車構造では避けられないところである（例えば、特許文献１参照）。
【特許文献１】特開平９−２８０１９５号公報（第１図）
【発明の開示】
【発明が解決しようとする課題】
【０００３】
解決しようとする課題は、渦巻きケーシング内で生じる旋回流が吸込みカバー側へ返流されることを阻止し、ポンプ効率が低下することのない渦巻きポンプを提供することにある。
【課題を解決するための手段】
【０００４】
本発明渦巻きポンプでは、円錐形ボス部の外周にスクリューブレードを凸設してなる斜流型オープン羽根車における前記スクリューブレードの最大外径部付近を始点とし上部シュラウドの頸部付近を終点とする範囲に亘って逆流阻止板を付設したことを、最も主要な特徴とする。
【発明の効果】
【０００５】
本発明渦巻きポンプによれば、スクリューブレードの最大外径部付近を始点とし上部シュラウドの頸部付近を終点とする範囲に亘って逆流阻止板が付設されているので、該逆流阻止板の回転遮蔽機能により、渦巻きケーシング内から吸込みカバー側への返流を効果的に阻止できるという利点があり、更に、該逆流阻止板が回転することで該逆流阻止板の上端面で揚液を押し上げようとする流体力が発生し、ポンプの吐出揚程をより一層大きくすることができる。
【発明を実施するための最良の形態】
【０００６】
渦巻きケーシング内に斜流型オープン羽根車を収容した渦巻きポンプにおいて、前記羽根車と対向するコーン状吸込みカバーの下面中心に吸込口を開設し、前記渦巻きケーシングの一側部より吐出口を導出させ、円錐形ボス部の外周にスクリューブレードを凸設して前記斜流型オープン羽根車を構成し、スクリューブレードの最大外径部付近を始点とし上部シュラウドの頸部付近を終点とする範囲に亘って逆流阻止板を付設し、該逆流阻止板の内側面は異物通過性の損われることのないよう凹状に湾曲させ、且つその下端縁を渦巻きケーシングの下壁上面に接近した状態で導下させる。
【実施例１】
【０００７】
渦巻きケーシング１内に斜流型オープン羽根車２を収容した渦巻きポンプにおいて、前記羽根車２と対向するコーン状吸込みカバー３の下面中心に吸込口４を開設し、前記渦巻きケーシング１の一側部より吐出口５を導出させる。円錐形ボス部６の外周にスクリューブレード７を凸設して前記斜流型オープン羽根車２を構成する。８は逆流阻止板であり、スクリューブレード７の最大外径部付近を始点８ａとし上部シュラウド９の頸部付近を終点８ｂとする範囲に亘って付設されている。斜流型オープン羽根車２の回転に伴う遠心エネルギーによって吸込口４から吸込まれた揚液は、渦巻きケーシング１内で該ケーシングの内壁１ａに衝突して上から下への旋回流となるが、逆流阻止板８の回転遮蔽機能により、吸込みカバー３側への返流が阻止せられ、吸込みカバー３上面の揚液との衝突を回避して損失および流れの偏りを生じることなく、渦巻きケーシング１内を巡る過程で圧力を生じると共に、逆流阻止板８が回転することで該逆流阻止板８の上端面で揚液を押し上げようとする流体力の発生とが相俟って、ポンプの吐出揚程がより一層高められた状態で吐出口５から吐出される。コーン状吸込みカバー３の内周面と、円錐形ボス部６の外周面との対向面間において、スクリューブレード７のブレード間に形成される通液路１１は、異物の通過性を良好ならしめるため図４に示すよう断面形状をほぼ正方形に形成することが望ましい。
【実施例２】
【０００８】
実施例１の構成を前提として、スクリューブレード７に付設される逆流阻止板８の下端縁が、渦巻きケーシング１の下壁１ｂの上面またはコーン状吸込みカバー３の内周面上方部に接近した状態で導下させる。これによって、渦巻きケーシング１内から吸込みカバー３側への返流阻止効果が更に高められると共に、該逆流阻止板８の上端面で揚液を押し上げる流体力の発生も強力となる。
【実施例３】
【０００９】
実施例１の構成を前提として、スクリューブレード７に付設される逆流阻止板８の内側面が、凹状に湾曲させた状態で導下させる。図４に示すよう、該凹状湾曲の曲率半径Ｒは、異物通過基礎円１０の半径と同等またはそれ以下に設定することにより、揚液中に混在する異物の通過性が確保される。
【図面の簡単な説明】
【００１０】
【図１】本発明渦巻きポンプの要部縦断側面図である。
【図２】本発明渦巻きポンプにおける斜流型オープン羽根車の側面図である。
【図３】本発明渦巻きポンプにおける斜流型オープン羽根車の底面図である。
【図４】図１の要部拡大図である。
【符号の説明】
【００１１】
１      渦巻きケーシング
１ｂ    渦巻きケーシングの下壁
２      斜流型オープン羽根車
３      コーン状吸込みカバー
４      吸込口
５      吐出口
６      円錐形ボス部
７      スクリューブレード
８      逆流阻止板
８ａ    逆流阻止板の始点
８ｂ    逆流阻止板の終点
９      上部シュラウド
【図１】
2005337130.tif 000003
【図２】
2005337130.tif 000004
【図３】
2005337130.tif 000005
【図４】
2005337130.tif 000006